(57)【要約】      （修正有）【課題】ディスポーザーと連結した排水管（専有部横枝管）に堆積した堆積物を短時間にかつ簡単に洗浄できるディスポーザー連結排水管の洗浄方法を提供する。【解決手段】ディスポーザー１３と連結した専有部横枝管１５内の空気をノズル手段２０により排出して、専有部横枝管１５内に負圧を発生させ、次にシンク１０の排水口１１を閉塞する栓１７を抜き、シンク１０内に留めた水１８を専有部横枝管１５内に発生した負圧により、専有部横枝管１５内に吸引流入させ、この吸引流入した水の流入力とノズル手段２０から噴射された洗浄液の噴射力との合力により専有部横枝管１５内に堆積した堆積物Ｅを押し出す。【選択図】図１
2010264336.tif 000002
【特許請求の範囲】
【請求項１】
台所シンクのディスポーザーと連結する専有部横枝管に堆積した堆積物を洗浄するようにしたディスポーザー連結排水管の洗浄方法において、洗浄ホースの先端に配設された噴射ノズルから噴射された洗浄液により、前記専有部横枝管に堆積した堆積物を粉砕する工程と、
前記シンクの排水口を栓により閉塞し、該シンク内に水を溜める工程と、
前記専有部横枝管内に負圧を発生させるノズル手段を前記専有部横枝管の始端に配設し、該ノズル手段から洗浄液を前記専有部横枝管内に噴射する工程と、
前記ノズル手段から噴射された洗浄液により、前記専有部横枝管内の空気を排出して、前記専有部横枝管内に負圧を発生させる工程と、
前記シンクの排水口を閉塞する栓を抜き、前記シンク内に留めた水を前記専有部横枝管内に発生した負圧により、前記専有部横枝管内に吸引流入させ、該専有部横枝管内に吸引流入した水の流入力と前記ノズル手段から噴射された洗浄液の噴射力との合力により前記粉砕された堆積物を押し出して洗浄する工程と
を少なくとも具えたことを特徴とするディスポーザー連結排水管の洗浄方法。
【請求項２】
前記高圧の洗浄液は、オゾンを含んだ洗浄液であることを特徴とする請求項１に記載のディスポーザー連結排水管の洗浄方法。
【請求項３】
前記ノズル手段は、周面に吸引口を複数個形成した外側ノズルと、該外側ノズルの中心部に配設され、洗浄液を噴射する中心ノズルから構成され、該中心ノズルには洗浄液を圧送する洗浄ホースが連結していることを特徴とする請求項１に記載のディスポーザー連結排水管の洗浄方法。
【請求項４】
前記洗浄ホースには水道水を供給する蛇口が連結されることを特徴とする請求項３に記載のディスポーザー連結排水管の洗浄方法。
【請求項５】
前記シンクの排水口と前記専有部横枝管との間にはディスポーザーとトラップのＵ字管が介在されていることを特徴とする請求項１に記載のディスポーザー連結排水管の洗浄方法。
【発明の詳細な説明】
【技術分野】
【０００１】
この発明は、台所の流し台を構成するシンクに配設されたディスポーザーと連結した排水管の洗浄方法に関する。
【背景技術】
【０００２】
一般に排水管の洗浄方法としては、図７に示すように、高圧の洗浄液（オゾンを含んだ洗浄液等）を案内する洗浄ホース１の先端に噴射ノズル２を連結し、このノズル２から高圧の洗浄液Ａを逆噴射させ、その推進力により排水管３内を洗浄しつつ、ノズル２を排水管３の延出方向に沿って進行させるようにしている。
【０００３】
なお、上述した洗浄ノズル２を使用する排水管の洗浄方法としては、本願出願人が先に提出した特開平２００１−１７０５９１号公報に開示したものが知られている。
【０００４】
この特開平２００１−１７０５９１に開示したノズル２は、図８に示すように、高圧の洗浄ホース１の先端に固定されたノズル２を、高圧ホース１の回転と引き出し操作に伴って、洗浄液を噴射する複数の噴射孔のうち、洗浄力の高い特定の噴射孔Ｂのみが排水管３の内周面と常時対向するように、当該ノズル２を排水管１の内周面に沿って螺旋状に旋回させるものである。なお、前記図７で符号４は、排水管１内におけるノズル２の進行方向を案内する折り曲げ自在な自在ガイドである。
【０００５】
一方、図９に示すように、ノズル２に逆噴射(後方噴射)Ａに加え、前方噴射Ｃの噴射口を設置し、洗浄力を強化する場合があるが、この場合は排水管３内におけるノズル２の推進力が弱まり進行しにくくなるばかりでなく、又、排水管３の曲がりの部分３Ａで前方噴射水Ｃが管の曲がり部分３Ａに当たり、曲がり部分３Ａの通過が困難になる。また洗浄ホース１は管３の中に入りにくいばかりか、洗浄には非常に時間を要する事ことになる。
【先行技術文献】
【特許文献】
【０００６】
【特許文献１】特開平２００１−１７０５９１号公報
【発明の概要】
【発明が解決しようとする課題】
【０００７】
一方、図１０で示す、台所の流し台を構成するシンク下方に配設されたディスポーザーと連結した排水管（専有部横枝管）５内には、ディスポーザーで粉砕された卵の殻・魚の骨等の比重の重い粉砕物が流れ込む。
【０００８】
この粉砕物は、シンクから流される水道水の自然落下では、本管まで搬出することができず専有部横枝管５内の管底に堆積し堆積物Ｅとなる。
【０００９】
この堆積物Ｅを洗浄する場合、図７に示した洗浄方法では、堆積物Ｅは粉砕されるが掃除口の手前に引き戻されるだけで、専有部横枝管５内に残存したままとなる問題点がある。
【００１０】
また図９に示す洗浄方法では、専有部枝管洗浄５では、洗浄ホース１の材質が固いホースでないと前方に押す力が弱く、固い洗浄ホース１では曲がり部分３Ａの通過が難しく、洗浄に益々時間を要する問題点がある。
【００１１】
この発明は上述した事情に鑑み、台所の流し台を構成するシンク下方に配設されたディスポーザーと連結した排水管（専有部横枝管）に堆積した堆積物を短時間にかつ簡単に洗浄できるようにした、ディスポーザー連結排水管の洗浄方法を提供することを目的とする。
【課題を解決するための手段】
【００１２】
上述した課題を解決するため、この発明では、台所シンクのディスポーザーと連結する専有部横枝管に堆積した堆積物を洗浄するようにしたディスポーザー連結排水管の洗浄方法において、洗浄ホースの先端に配設された噴射ノズルから噴射された洗浄液により、前記専有部横枝管に堆積した堆積物を粉砕する工程と、
前記シンクの排水口を栓により閉塞し、該シンク内に水を溜める工程と、
前記専有部横枝管内に負圧を発生させるノズル手段を前記専有部横枝管の始端に配設し、該ノズル手段から洗浄液を前記専有部横枝管内に噴射する工程と、
前記ノズル手段から噴射された洗浄液により、前記専有部横枝管内の空気を排出して、前記専有部横枝管内に負圧を発生させる工程と、
前記シンクの排水口を閉塞する栓を抜き、前記シンク内に留めた水を前記専有部横枝管内に発生した負圧により、前記専有部横枝管内に吸引流入させ、該専有部横枝管内に吸引流入した水の流入力と前記ノズル手段から噴射された洗浄液の噴射力との合力により前記粉砕された堆積物を押し出して洗浄する工程と
を少なくとも具えている。
【発明の効果】
【００１３】
上述したディスポーザー連結排水管の洗浄方法によると、予め噴射ノズルから噴射された高圧の洗浄液により、専有部横枝管に堆積した堆積物を粉砕し、その後、シンク内に留めた水を専有部横枝管内に発生した負圧を利用して、専有部横枝管内に一気に吸引流入させ、この一気に吸引流入した水の流入力とノズル手段から噴射された洗浄液の噴射力との合力により専有部横枝管内に堆積する粉砕された堆積物を押し出すので、ディスポーザー連結排水管の洗浄を短時間にかつ簡単に洗浄できるとともに、栓を抜くと負圧により一気に専有部横枝管内いっぱいにシンクの水が流れ込み、ノズル手段から噴射される洗浄液との合力により排水スピードが高められ、一気に旋回流を起こし粉砕された堆積物を巻き上げ、勢い良く堆積物を本管へ押し流すから、ディスポーザーの回転盤の隙間・内部の洗浄及ぴトラップのＵ字管の内部の洗浄も同時に行うことが出来る。
【図面の簡単な説明】
【００１４】
【図１】図１は、この発明に係るディスポーザー連結排水管の洗浄方法を説明するシンクおよび周辺の排水管の配置態様を示す図。
【図２】図２はノズル手段を示す概念断面図。
【図３】図３は、粉砕された堆積物を押し出す様子を示す排水管の概念断面図。
【図４】図４は、この発明の他の実施例を示する、シンクおよび周辺の排水管の配置態様を示す図。
【図５】図５は、この発明の他の実施例を示する、シンクおよび周辺の排水管の配置態様を示す図。
【図６】図６は、この発明の更に他の実施例を示する、シンクおよび周辺の排水管の配置態様を示す図。
【図７】図７は、従来の排水管の洗浄方法を示す排水管の概念断面図。
【図８】図８は、従来の排水管の洗浄方法を示す排水管の概念断面図。
【図９】図９は、従来の排水管の洗浄方法を示す排水管の概念断面図。
【図１０】図１０は、シンク下方に配設されたディスポーザーと連結した排水管（専有部横枝管）内に堆積した堆積物を示す排水管の概念断面図。
【発明を実施するための形態】
【００１５】
以下、この発明に係るディスポーザー連結排水管の洗浄方法を説明する。
【００１６】
図１は、この発明に係るディスポーザー連結排水管の洗浄方法を説明するシンクおよびその周辺の排水管の配置態様を示す図である。
【００１７】
台所用のシンク１０では、排水口１１の下方に回転盤１２を含むディスポーザー１３が連結され、またこのディスポーザー１３にはトラップＵ字管１４が連結され、このトラップＵ字管１４の下流端はディスポーザー連結排水管である専有部横枝管１５に連結されている。
【００１８】
なお、この専有部横枝管１５の下流端１５ａは、縦管の排水管である本管１６に連結されている。
【００１９】
上述したディスポーザー連結排水管である専有部横枝管１５の底部には、前述したように、ディスポーザー１３で粉砕された卵の殻・魚の骨等の比重の重い粉砕物が流れ込み、管底に堆積し堆積物Ｅとなる。
【００２０】
次に、この専有部横枝管１５の管底に堆積した堆積物Ｅを洗浄する方法について詳述する。
【００２１】
まず、背景技術の項で説明した、図7および図8のノズル２を使用する従来の洗浄方法により、当該専有部横枝管１５及び本管１６を洗浄し、専有部横枝管１５の管底に堆積した堆積物Ｅを粉砕する。その際、堆積物Ｅは粉砕されるが掃除口の手前に引き戻されるだけで、専有部横枝管１５内に残存したままとなる。
【００２２】
なお、図7および図8に示す従来の洗浄方法により、専有部横枝管１５及び本管１６を洗浄する場合は、専有部横枝管１５の始端１５ｃを構成する縦管部１５ｂの上端からノズル２及び洗浄ホース１を挿入して洗浄処理を行う。
【００２３】
次に、台所シンク１０の排水口１１を栓（ゴム栓）１７により閉塞し、シンク１０内に水１８を溜め、さらに、前記専有部横枝管１５の始端１５ｃにノズル手段２０を配設する。
【００２４】
このノズル手段は２０は、図２の概念断面図で示すように、周面に吸引口２１を複数個形成した外側ノズル２２と、この外側ノズル２２の中心部に配設され、洗浄液を噴射する中心ノズル２３とから構成され、この中心ノズル２３には、洗浄液を圧送する洗浄ホース２４が連結している。
【００２５】
このようなノズル手段２０によると、中心ノズル２３から噴射される洗浄液の噴射流体（矢印Ｆ）により、専有部横枝管１５内の空気（矢印Ｇ）が外側ノズル２２の吸引口２１を介して下流へ排出されるから、専有部横枝管１５内に負圧が発生する。
【００２６】
そして、専有部横枝管１５内に負圧が発生すると、図１に示すように、それに連結するディスポーザー１３内部及ぴトラップＵ字管１４内部にも負圧が効果的に発生する。
【００２７】
このように、専有部横枝管１５内に負圧が発生した後、シンク１０のゴム栓１７を抜くと、専有部横枝管１５内の負圧により、シンク１０内に溜めた水１８が矢印Ｈの如く一気にディスポーザー１３内部及ぴトラップＵ字管１４内部を通過して、専有部横枝管１５内に流れ込む。
【００２８】
このように、シンク１０内に溜めた大量の水１８がディスポーザー１３内部及ぴトラップＵ字管１４内部を通過して専有部横枝管１５内に流れ込むと、その流れ込む水は、前記ノズル手段２０から噴射される高圧洗浄液Ｆとの相乗効果により排水スピードが高められ、図３で示すように、その流れ込む水（矢印Ｉ）は旋回流を起こし、堆積物Ｅを巻き上げ、粉砕された堆積物Ｅを勢いよく本管１６（図１）へ搬送し、これにより専有部横枝管１５内を洗浄する。
【００２９】
なお、図１に示すように、シンク１０内に溜められ、一気に流れ込む大量の水１８がディスポーザー１３内部及ぴトラップＵ字管１４内部を通過する間に、回転盤１２の隙間とディスポーザー１３内部の洗浄及ぴトラップのＵ字管１４の内部の洗浄も同時に行うことが出来る。
【００３０】
なお、上記実施例では、ノズル手段２０の中心ノズル２３に連結された洗浄ホース２４内に高圧の洗浄液（例えばオゾンを含む洗浄液）圧送するようにしたが、この発明は上記実施例に限定されることなく、例えば図１と同一部分を同一符号で示す図４のように、ノズル手段２０の中心ノズル２３に連結された洗浄ホース２４に水道の蛇口３０を連結し、水道水の水圧２ｋｇ/cm2でも十分専有部横枝管１５内に負圧を発生させて専有部枝管１５を洗浄することが出来る。  
また、水道水の水圧が低い場合は、図４と同一部分を同一符号で示す図５に示すように、小型加圧ポンプＰで水道水を加圧し、同様に洗浄して、堆積物を縦本管１６まで搬送して洗浄させるようにしても良い。
【００３１】
さらには、図１と同一部分を同一符号で示す図６のように、ノズル手段２０の吸引口２１を専有部横枝管１５の外部に配置し、この吸引口２１から吸引される外気を洗浄液とともに専有部横枝管１５内に噴射するようにしても、十分専有部横枝管１５内に負圧を発生させて専有部枝管１５を洗浄することが出来る。
【産業上の利用可能性】
【００３２】
以上説明したように、この発明は、台所の流し台を構成するシンク下方に配設されたディスポーザーと連結した排水管（専有部横枝管）に堆積した堆積物を短時間にかつ簡単に洗浄できるようにした、ディスポーザー連結排水管の洗浄に適している。
【符号の説明】
【００３３】
１…洗浄ホース
２…噴射ノズル
１０…シンク
１３…ディスポーザー
１４…トラップのＵ字管
１５…専有部横枝管
１７…栓
１８…シンク内の水
２０…ノズル手段
２１…吸引口
２２…外側ノズル
２３…中心ノズル
２４…洗浄ホース
３０…蛇口
Ｅ…堆積物
Ｆ…ノズル手段から噴射された洗浄液
【図１】
2010264336.tif 000003
【図２】
2010264336.tif 000004
【図３】
2010264336.tif 000005
【図４】
2010264336.tif 000006
【図５】
2010264336.tif 000007
【図６】
2010264336.tif 000008
【図７】
2010264336.tif 000009
【図８】
2010264336.tif 000010
【図９】
2010264336.tif 000011
【図１０】
2010264336.tif 000012